(57)【要約】【課題】磁力線効果、遠赤外線効果、中間赤外線効果及び荷電粒子効果の人体に対する相乗効果を利用した健康医療器具を提供する。【解決手段】希土類永久磁石の粉末と遠赤外線放射材料及び中間赤外線放射及び荷電粒子放出材料粉末を混合し成型した後、加熱処理して得られた複合体磁石を用いることにより、長短波長の赤外線の皮膚浸透作用と荷電粒子の皮膚浸透作用及び磁力線作用の相乗効果を発揮させた。【選択図】なし【特許請求の範囲】
【請求項１】
希土類磁石の粉末と遠赤外線放射材料、中間赤外線放射及び圧電焦電材料の粉末をバインダーと共に混合して成型し、加熱処理して得られた複合体磁石からなる健康医療器具。
【請求項２】
遠赤外線放射材料として禁止帯幅０．７ｅＶ以下の半導体を使用し、中間赤外線放射及び圧電焦電材料として自発分極をもつ強誘電体を使用した請求項１記載の健康医療器具。
【請求項３】
遠赤外線放射材料としてＧｅ、ＩｎＳｂ、ＰｂＳ及びＨｇＴｅの１種類又は複数種類を、中間赤外線放射及び圧電焦電材料としてトルマリン、チタン酸バリウム、チタン酸ジルコン酸鉛、水晶、ＺｎＯ、ニオブ酸リチュウム及びＬＢＯ（ＬｉＢ３Ｏ５）結晶の１種類又は複数種類を使用した請求項１記載の健康医療器具。
【請求項４】
遠赤外線放射材料粉末及び中間赤外線放射材料及び圧電焦電材料粉末の磁石粉末に対する全体積添加量が１０ないし７０％であり、両赤外線放射材料の配合量の体積比はいずれも５％以上である請求項１、２又は３記載の健康医療器具。
【発明の詳細な説明】
【技術分野】
【０００１】
本発明は、磁力線効果と遠赤外線効果、中間赤外線効果及び皮膚への電荷注入効果を相乗的に利用する健康医療器具に関する。
【背景技術】
【０００２】
永久磁石より生じる磁力線は人体に対して血行を促進する作用があることから、磁石材料を所定の形状にチップ状化して粘着テープ等で人体に貼りつけるタイプの健康医療器具が広く用いられている。磁石材料としては、従来のＢＨｍａｘが３程度のフェライト磁石から最近はＢＨｍａｘが２０ないし３０の希土類磁石が使用されている。
また、赤外線も、血行促進効果、神経繊維活性化効果、鎮痛効果等があり、人体に好影響を及ぼすことが知られ、磁石同様にチップ状化して患部に貼りつけて使用されている。赤外線放射材料としては、遠赤外線を出すＧｅが単体で使用されている。
また、最近では、マイナス電荷を有する荷電粒子の皮膚浸透による疲労回復効果が認識され、その荷電粒子放射材料として、トルマリンが磁石同様に加工され使用されている。
【０００３】
また、最近は、磁力線効果と赤外線効果の相乗効果を狙って、磁石粉末と赤外線放射材料粉末を混合した複合体磁石が提案され、健康医療器具として使用されている（例えば、特許文献１、特許文献２）。
【０００４】
赤外線放射材料としてトルマリン等も使用されているが、トルマリンの有効赤外線波長は１０〜１５μｍで、波長２．５〜２５μｍの中間赤外線は比較的皮膚の表面に作用してその効果を発揮するが、磁力線は皮膚浸透効果が大きいので、身体の内部まで浸透する。このため、身体内部では赤外線と磁力線が充分にその相乗効果を発揮していなかった（例えば、特許文献３）。
【特許文献１】特開平５−３４７２０６号公報
【特許文献２】特開平１０−２４１９２４号公報
【特許文献３】特開２００１−１２６９０８号公報
【発明の開示】
【発明が解決しようとする課題】
【０００５】
本発明は、上記の事情に鑑みてなされたものであり、解決しようとする課題は、身体内部まで赤外線と磁力線が充分にその相乗効果を発揮し、人体内部での血行促進、筋肉疲労回復、鎮痛効果が得られる健康医療器具を提供することにある。
【課題を解決するための手段】
【０００６】
上記課題を解決するため、本発明の健康医療器具は、希土類磁石の粉末と遠赤外線放射材料、中間赤外線放射及び圧電焦電材料の粉末をバインダーと共に混合して成型し、加熱処理して得られた複合体磁石からなることを特徴としている（請求項１）。
遠赤外線放射材料としては禁止帯幅０．７ｅＶ以下の半導体を使用し、中間赤外線放射及び圧電焦電材料としては自発分極をもつ強誘電体を使用することが望ましい（請求項２）。
また、遠赤外線放射材料としては、Ｇｅ（ゲルマニウム）、ＩｎＳｂ（アンチモン化インジウム）、ＰｂＳ（硫化鉛）及びＨｇＴｅ（テルル化第二水銀）の１種類又は複数種類を、中間赤外線放射及び圧電焦電材料としてトルマリン、チタン酸バリウム、チタン酸ジルコン酸鉛、水晶、ＺｎＯ、ニオブ酸リチウム及びＬＢＯ（ＬｉＢ３Ｏ５リチュウム硼素酸化物）結晶の１種類又は複数種類を使用することが望ましい（請求項３）。
遠赤外線放射材料粉末及び中間赤外線放射及び圧電焦電材料粉末の磁石粉末に対する全体積添加量は１０ないし７０％で、両赤外線放射材料の配合量の体積比はいずれも５％以上であることが望ましい（請求項４）。
すなわち、本発明は、磁力線の人体深部への浸透効果に合わせて中間赤外線放射効果及び圧電焦電効果を加えるとともに、禁止帯幅の狭い半導体から放射される波長２５μｍ以上の遠赤外線放射効果を同時に使用するようにしたものである。
【発明の効果】
【０００７】
請求項１の発明によれば、希土類磁石の粉末と遠赤外線放射材料、中間赤外線放射及び圧電焦電材料の粉末をバインダーと共に混合して成型し、加熱処理して得られた複合体磁石を用いるので、身体内部まで磁力線と赤外線が充分にその相乗効果を発揮し、電荷浸透作用と合わせて人体内部での血行促進、筋肉疲労回復、鎮痛効果が得られる。
請求項２の発明のように、遠赤外線放射材料として禁止帯幅０．７ｅＶ以下の半導体を使用し、中間赤外線放射及び圧電焦電材料として自発分極をもつ強誘電体を使用する場合は、半導体からは２５μｍ以上の遠赤外線、自発分極を持つ強誘電体から２５μｍ以下の赤外線及び電荷が体温により活性化され出てくる。
請求項３の発明のように、遠赤外線放射材料としてＧｅ、ＩｎＳｂ、ＰｂＳ及びＨｇＴｅの１種類又は複数種類を、中間赤外線放射及び圧電焦電材料としてトルマリン、チタン酸バリウム、チタン酸ジルコン酸鉛、水晶、ＺｎＯ、ニオブ酸リチュウム及びＬＢＯ結晶の１種類又は複数種類を使用する場合は、遠赤外線と中間赤外線及び電荷が同時に発生し、２５μｍ以上の遠赤外線は人体のより深部の、２５μｍ以下の赤外線は皮膚表面近くの血行を加熱促進し、同時に発生する荷電粒子は筋肉に浸透し、疲労回復を促進する。
請求項４の発明のように、遠赤外線放射材料粉末及び中間赤外線放射及び圧電焦電材料粉末の磁石粉末に対する全体積添加量は１０ないし７０％で、両赤外線放射材料の配合量の体積比がいずれも５％以上である場合は、磁石が希土類磁石である場合に長短波長の赤外線重畳効果及び電荷浸透効果が確実に得られる。
【発明を実施するための最良の形態】
【０００８】
本発明を実施するためには、波長２．５〜２５μｍの赤外線と荷電粒子を発生する中間赤外線放射及び圧電焦電材料と、波長２５μｍ以上の遠赤外線放射材料を粉末にして磁石材料粉末と混合して複合体磁石を成型し、健康器具としてこれを使用する。
圧電焦電材料は通常禁止帯幅２ｅＶ以上の絶縁体であるため、人体による活性化によって荷電粒子及び波長２．５〜２５μｍの中間赤外線を同時に放射する。赤外線の人体浸透力は波長が長くなるほど増大するので、両波長の赤外線効果を併用することにより磁力線の人体浸透効果を充分に発揮できる。
【０００９】
充分な医療効果を発揮する磁力線密度は８００〜２０００Ｇとされている。フェライト磁石はエネルギー積ＢＨｍａｘが小さいので、遠赤外線放射材料及び中間赤外線放射材料（以下、両者を合わせてセラミックという場合がある。）を同時に複合化した場合は、表面磁束密度が８００Ｇを下回ることが多く、使用が難しい。磁石粉末体積に対するセラミック粉末体積の添加量の割合は、１０〜７０％の範囲が好ましい。バリウムフェライト磁石の場合は、セラミック粉末の添加量６０％でＢＨｍａｘが０．３を切るので、必要とする磁束密度がとれない。
【００１０】
これに対して、希土類磁石の場合は、セラミック配合量が全体積の１０％のとき、ＢＨｍａｘは８程度になり、表面磁束密度１５００Ｇが充分確保できる。また、全体積の７０％の場合の複合磁石のＢＨｍａｘは２．５程度になり、表面磁束密度が最低８００Ｇ確保できる。従って、全体積に対するセラミック粉末の配合量は１０〜７０％に限定される。
【００１１】
遠赤外線材料粉末（Ａ）と中間赤外線及び圧電焦電材料（Ｂ）の粉末との混合比は５−９５％が好ましい。AとBのどちらかの材料が５％を切った場合は、長短波長の赤外線重畳効果が減少する。配合比として電荷粒子の効果を充分に発揮させるためには、中間赤外線及び圧電焦電材料の遠赤外線放射材料に対する配合割合は６０％以上が好ましい。人体による活性化で発生した荷電粒子のライフタイム及びモビリテイが短いので、荷電粒子の筋肉浸透効果を発揮するには、圧電焦電材料の量の確保が必要である。
【実施例】
【００１２】
希土類磁石としてＮｄ−Ｆｅ―Ｂ系を使用し、以下の配合比で複合磁石を成型し、磁気特性と成人の人体肩部に接触させた場合の平均体温上昇値を赤外線サーモグラフィーで測定した。
（１）使用した希土類磁石
磁石組成、Ｎｄ２７ｗｔ％、Ｂ０．９ｗｔ％、Ｃｏ６％ｗｔ、残Ｆｅ。
急冷ロール法によるリボン薄帯を２００μｍメッシュに粉砕後、６００℃で焼鈍。
（２）使用したバインダー
エポキシ樹脂を全粉末重量に対して３ｗｔ％添加。
（３）使用した遠赤外線放射材料      ｎ型Ｇｅ粉末    粒子径１５０μｍ
（４）使用した中間赤外線放射及び圧電材料    トルマリン粉末  粒子径２００μｍ
【００１３】
それぞれの材料を所定の配合比で混合して、７トン/cm2の圧力でをプレスして、直径１０ｍｍ、厚さ７ｍｍのタブレット状物を成型し、これを１５０℃で１時間硬化処理した。
【００１４】
各実施例及び比較例の各材料の配合率（体積％）は下記の通りである。
磁石粉末      Ｇｅ粉末      トルマリン粉末
実施例１          ３０        １０            ６０
実施例２          ３０        ６０            １０
実施例３          ３０        ３５            ３５
実施例４          ５０        １０            ４０
実施例５          ５０        ４０            １０
実施例６          ５０        ２５            ２５
実施例７          ７０          ５            ２５
実施例８          ７０        ２５              ５
実施例９          ９０          ５              ５
比較例１          ３０        ７０              ０
比較例２          ３０          ０            ７０
比較例３          ５０        ５０              ０
比較例４          ７０        ３０              ０
比較例５          ７０          ０            ３０
比較例６          ９０        １０              ０
比較例７          ９０          ０            １０
【００１５】
上記各実施例及び比較例のテスト結果は、次の通りである。
ＢＨｍａｘ      表面磁束密度      体温上昇温度
（ＭＧＯｅ）      （Ｇ）              （℃）
実施例１          ２．５          ８００            ２．４
実施例２          ２．４          ８５０            ２．３
実施例３          ２．５          ８２０            ２．６
実施例４          ４．０        １１００            ２．２
実施例５          ４．１        １１８０            ２．０
実施例６          ３．９        １１５０            ２．３
実施例７          ５．１        １６００            ２．１
実施例８          ５．２        １６４０            ２．５
実施例９          ６．２        １７５０            １．９
比較例１          ２．６          ８４０            １．２
比較例２          ２．４          ８００            １．３
比較例３          ４．０        １１８０            １．５
比較例４          ５．０        １５５０            １．６
比較例５          ５．１        １５８０            １．３
比較例６          ６．３        １７００            １．１
比較例７          ６．１        １６５０            １．２
【００１６】
実施例はＮｄ系希土類磁石、ゲルマニウム及びトルマリンに限定して記載したが、遠赤外線放射材料として禁止帯幅０．７ｅＶ以下の半導体ＩｎＳｂ、ＰｂＳ等、また、中間赤外線及び圧電焦電材料としてチタン酸バリウウム、チタン酸ジルコン酸鉛等も同様に使用することができる。一般的に、圧電焦電材料は絶縁物でもあるため、禁止帯幅が２ｅＶ近くあり、荷電粒子の放出と共に中間赤外線を出す。
【００１７】
本発明者の一人は、先に特願２００６−０４２９１５にて磁石の表面を遠赤外線材料及び圧電焦電材料でコーティングした健康医療器具を提案した。本発明の遠赤外線、中間赤外線及び荷電粒子の併用効果を目的とした複合型磁石健康医療器具は、先出願のコーティングタイプの健康医療器具に比較してそれぞれの材料の最大利点を発揮するものではないが、製造コストが安く従来品の磁力線と赤外線放射又は荷電粒子浸透単体の併用効果を狙った健康医療器具よりも人体活性化能力が５０〜１００％程度向上した。
【産業上の利用可能性】
【００１８】
本発明の磁力線、遠赤外線、中間赤外線及び荷電粒子浸透効果の人体に対する複合作用を使用した健康医療器具は、ネックレス、腕輪、指輪、足輪、肌着、靴下、腹巻、シーツ、枕及び寝具等の使用形状に合わせて成型して応用できると共に、人以外の動物用医療器具としても応用することが可能である。